(57)【要約】      （修正有）【課題】着衣状態及び収容状態の相互の形態変更を容易に、且つ繰り返し行なうことができ、また収容状態を容易に保持することができ、収容状態においても、衣服部分に乱れ皺や余分な引っ張り力を生じさせにくい衣服装飾具、及びこれを備えた衣服を提供する。【解決手段】表面側の表示部１１と、衣服本体に当接する裏面側の当接部１２と、衣服本体の一部を収容しうる収容部３とを有した収容体１を備える。表示部と当接部の境界部、或いは当接部には、衣服本体へ固定する固定部を設けると共に、衣服本体へ取り外し可能に貼付しうる仮貼付部１５を設ける。着衣のときは、仮貼付部１５を衣服本体へ貼付し、収容のときは、仮貼付部１５を衣服本体から取り外して、包んだ衣服本体の一端部を収容口から被せて収容させる。【選択図】図１
0003143707.tif 000002
【実用新案登録請求の範囲】
【請求項１】
模様又は装飾が施された表面側の表示部１１と、衣服本体Ｃに当接する裏面側の当接部１２と、衣服本体Ｃの一部を収容口３１から内部に収容しうる収容部３とを有した収容体１からなり、
表示部１１と当接部１２の境界部１３、或いは当接部１２には、その一部分に、衣服本体Ｃへ固定する固定部１４を設けると共に、
固定部１４を除く他の部分に、衣服本体Ｃへ取り外し可能に繰り返し貼付しうる仮貼付部１５を設けており、
着衣のときは、仮貼付部１５を衣服本体Ｃへ貼付して、表示部１１を衣服本体Ｃ上で表示しうるものであり、また、
収容のときは、仮貼付部１５を衣服本体Ｃから取り外して収容体１を収容可能な状態とするとともに、衣服本体Ｃを包んで包み状態とし、包み状態の衣服本体Ｃの一端部を収容口３１から被せてその一部または全部を収容部３に収容させ、包み状態を保持しうることを特徴とする衣服装飾具。
【請求項２】
収容体１は、衣服本体Ｃの包み状態を筒状または棒状に包んだ状態として、この包み状態の衣服本体Ｃの一部を収容部３に収容させるものである請求項１記載の衣服装飾具。
【請求項３】
収容体１は、当接部１２に模様又は装飾が施されてなり、収容口３１が伸縮可能であると共に、
衣服本体Ｃの包み状態を収容体１よりも小さな平面視形状にまで折りたたんだ状態として、この包み状態の衣服本体Ｃの全部又は大部分を収容部３に収容しうるものであり、収容した状態で伸張した収容口３１から衣服本体Ｃが露出する請求項１または２記載の衣服装飾具。
【請求項４】
収容口３１の口幅３１ｗは収容部３の最大幅３ｗよりも小さく、また収容口３１及びその周縁を伸縮可能なものとした請求項１、２または３のいずれか記載の衣服装飾具。
【請求項５】
模様又は装飾が施された表面側の第二表示部２１を有し、収容体１の固定部１４と接して或いは近接して衣服本体Ｃへ貼着固定される第二表示体２を具備してなり、
着衣のとき、収容のときのいずれにおいても、第二表示部２１が、衣服本体Ｃ上で収容体１の表示部１１と共に模写形態表示又は情報表示する請求項１ないし４のいずれか記載の衣服装飾具。
【請求項６】
収容体１と第二表示体２とが連結されて人形体を形態形成してなり、収容体１の固定部１４及び第二表示体２の貼着固定は共に、衣服本体Ｃから取り外しうるものである請求項４記載の衣服装飾具。
【請求項７】
請求項１ないし６のいずれか記載の衣服装飾具Ｏを、固定部１４で衣服本体Ｃに固定してなる衣服。
【考案の詳細な説明】
【技術分野】
【０００１】
この考案は、衣服用装飾具及びこれを備えた衣服に関するものである。
【背景技術】
【０００２】
従来、見た目も可愛らしく、室内において飾っておける上着として、上着の内側に上着を収納するためのファスナー付きポケットが設けられ、ポケットの開口からぬいぐるみの外皮であるポケットを引き出して、ぬいぐるみ本体に上着全体を詰め込み、ファスナーを綴じるとぬいぐるみとなるものが開示される（特許文献１参照）。
【０００３】
他に従来、人形形状から着用可能な帽子に変えられ、そしてまた人形に戻せるリバーシブルな人形／帽子が開示される（特許文献２参照）。これは、人形部分に頭部分、胴体部分及び内部キャビティが形成され、内部キャビティにアクセスできるようにする周縁を有するジッパ付きの開口を有している。また帽子部分にはクラウンに取り付けられ且つその内側周縁のまわりに伸びているヘッドバンドが形成され、開口の周縁及びジッパが各々、ヘッドバンドの一部を形成するように開口の周縁と関連している、とされる。
【０００４】
また上記の他に従来、パンティー本体前面に動物の顔部を設け、折り畳んだ時に動物の顔になるようにして楽しむことができるようにしたものが開示される（特許文献３参照）。
【特許文献１】実用新案登録第３０９２４５９号公報
【特許文献２】特表２００１−５１４７１３号公報
【特許文献３】実用新案出願公告平２−４０８４号公報
【考案の開示】
【考案が解決しようとする課題】
【０００５】
しかし上記従来の上着や帽子は、上着或いは帽子の構成材全てをぬいぐるみ人形内に収容するため、内部収容のために押し込むことが煩雑であり、容易に形態変更できるものといえなかった。
【０００６】
また着衣具を袋内に押し込むことで、乱れ皺が発生したり、余分な引っ張り力が加わって生地が傷んだりする場合がある。
【０００７】
一方、上記従来のパンティーは、両側部をそれぞれ後面に折りたたんで重ね合わせただけの折り畳み状態であるため、動物の顔部を模した折り畳み状態を保持することができない。例えば商品展示用にこの折りたたみ状態を保持するためには、折りたたんだ状態で周囲を紐で縛る等の手間が生じるが、この場合は紐で縛る作業が煩雑であり、また紐を解いた後に再び折りたたみ状態に戻す作業が困難である。
【０００８】
そこで本考案は、着衣状態及び収容状態の二形態相互の形態変更を容易に、且つ繰り返し行なうことができ、また収容状態を容易に保持することができ、収容状態においても、衣服部分に乱れ皺や余分な引っ張り力を生じさせにくい衣服装飾具、及びこれを備えた衣服を提供することを課題とする。
【課題を解決するための手段】
【０００９】
上記課題を解決するために、下記（１）ないし（７）の手段を採用する。
（１）この考案の衣服装飾具は、
模様又は装飾が施された表面側の表示部１１と、衣服本体Ｃに当接する裏面側の当接部１２と、衣服本体Ｃの一部を収容口３１から内部に収容しうる収容部３とを有した収容体１からなり、
表示部１１と当接部１２の境界部１３、或いは当接部１２には、その一部分に、衣服本体Ｃへ固定する固定部１４Ｆを設けると共に、
固定部１４Ｆを除く他の部分に、衣服本体Ｃへ取り外し可能にかつ繰り返し貼付しうる仮貼付部１５を設けており、
着衣のときは、仮貼付部１５を衣服本体Ｃへ貼付して、表示部１１を衣服本体Ｃ上で表示しうる着衣形態となり、また、
収容のときは、仮貼付部１５を衣服本体Ｃから取り外して収容体１を収容可能な状態とするとともに、衣服本体Ｃを包んで包み状態とし、包み状態の衣服本体Ｃの一端部を収容口３１から被せてその一部または全部を収容部３に収容させた収容形態となり、衣服本体Ｃこの収容形態において包み状態を保持しうることを特徴とする
このようなものであれば、仮貼付部の取り外し、衣服本体の包み、及び収容体の被せ収容といった簡易な作業によって、容易に体裁の良い収容形態を維持することができる。
【００１０】
特に収容体を衣服本体の全部ではなく包んだ一部分に被せるだけで収容形態を維持することができ、衣服本体を押し込んで収容する必要がない。このため、衣服本体へ乱れ皺を発生させたり余分な引っ張り力を与えることが無い。
【００１１】
またこの収容形態においては、包み状態の衣服本体の一部に収容体が被さることで、包み状態の衣服本体と併せて美観を呈しうるか、あるいは衣服本体の色柄を容易に外部認識しうる。
【００１２】
さらに衣服本体の一部分へ被さった収容体を取り外すことで、きわめて容易に収容形態を解除することができる。収容体は固定部で固定されているため、その後も自由に収容形態とその解除を繰り返すことができる。
【００１３】
（２）また前記衣服装飾具において、収容体１は、衣服本体Ｃの包み状態を筒状または棒状に包んだ状態として、この包み状態の衣服本体Ｃの一部を収容部３に収容させるものであることが好ましい。
【００１４】
なお収容口は、当接部、又は表示部と当接部との境界部のいずれかに設けられ、仮貼付部の取り外しによって収容口が表出することが好ましい。仮貼付部の貼付によって収容口が表出しない体裁の良い表示状態となり、また仮貼付部の取り外しによって収容口が表出することで直感的に収容作業を行ないうる。
【００１５】
更にいえば、収容口は、固定部の近傍または中央から固定部寄りの位置に設けられ、収容部は、収容口を一端として固定部と離間する方向へ深く内部形成されることで、収容形態への移行、解除がきわめて容易となる。
【００１６】
収容口が設けられる位置は具体的には、収容体の平面形状において固定部を含む対角線を仮想したとき、この対角線中央から固定部までの間の位置であり、これがすなわち中央から固定部寄りの位置である。収容口はこの位置にて、同対角線をまたぐようにして設けられる。
【００１７】
（３）あるいは前記（１）記載の衣服装飾具において、収容体１は、当接部１２に模様又は装飾が施されてなり、収容口３１が伸縮可能であると共に、
衣服本体Ｃの包み状態を収容体１よりも小さな平面視形状にまで折りたたんだ状態として、この包み状態の衣服本体Ｃの全部又は大部分を収容部３に収容しうるものであり、収容した状態で伸張した収容口３１から衣服本体Ｃが露出するものであることが好ましい。
【００１８】
ここで上記にいう大部分とは、衣服本体Ｃの包み状態の縦方向の包み長さの四分の一以上を含む大きさをいい、例えば後述の実施例４（図１２、１３）がこれに相当する。このようなものであれば折りたたんだ状態を容易に維持することができ、また表裏両側から模様又は装飾が看守され、一体的な美観や観念を生じさせうる。また底側から衣服本体Ｃが露出して収容形態を容易に解除することも可能である。
【００１９】
（４）また前記いずれかの衣服装飾具において、収容口３１の口幅３１ｗは収容部３の最大幅３ｗよりも小さく、また収容口３１及びその周縁を伸縮可能なものとすることが好ましい。このようなものであれば、より容易に収容形態とすることができ、収容形態において衣服を包んだ状態をより確実に保持しうるものとなる。
【００２０】
（５）また前記いずれかの衣服装飾具において、模様又は装飾が施された表面側の第二表示部２１を有し、収容体１の固定部１４と接して或いは近接して衣服本体Ｃへ貼着固定される第二表示体２を具備してなり、
着衣のとき、収容のときのいずれにおいても、第二表示部２１が、衣服本体Ｃ上で収容体１の表示部１１と共に模写形態表示又は情報表示することが好ましい。
【００２１】
（６）また前記衣服装飾具において、収容体１と第二表示体２とが連結されて人形体を形態形成してなり、収容体１の固定部１４及び第二表示体２の貼着固定は共に、衣服本体Ｃから取り外しうるものであることが好ましい。
【００２２】
このようなものであれば、例えば衣服装飾具を衣服本体から取り外して手軽に洗濯・洗浄、或いはいずれかの破損時に補修することができる。或いは、衣服本体と衣服装飾具とを取り外して、衣服装飾具を人形おもちゃ、或いは装飾用置物として利用することができる。或いは、複数の衣服装飾具を備えることで、衣服装飾具を交換することも可能となる。
【００２３】
（７）またこの考案の衣服は、前記いずれか記載の衣服装飾具Ｏを、固定部１４で衣服本体Ｃに固定してなるものである。
【００２４】
なお後述する実施例３のように、収容体１は、当接部を衣服本体へ当接した状態で、収容部の収容空間が固定部よりも上方となるように配置して固定され、当接部を衣服本体から取り外した状態で、固定部の上方の部分を折り返すことができると共に、折り返した部分を衣服本体へ取り外し可能に固定することができ、折り返した状態で収容部が収容ポケットとなることが好ましい。
【００２５】
例えば袋状の収容部の収容空間の先には収容底が存在する。後述の実施例３では、当接した第一状態において、この収容底が固定部よりも上方となるように配置固定される。しかして、固定部又はその上部から上方の折り返し部分を折り返し、折り返し部分の表示部を第二表示部２１衣服本体に当接させて第二状態とする。これによって、着衣形態において、衣服本体Ｃ付属の収容ポケットとして使用することができる。
【００２６】
さらに少なくとも収容体１の固定部が衣服本体から取り外し可能であれば、衣服本体から必要に応じて取り外しうる持ち運び可能な収容ポケットになる。
【００２７】
なおいずれかの衣服装飾具を、固定部で衣服本体に固定してなるものであって、衣服本体の所定端部には表示タグが付されており、衣服装飾具の当接部を衣服本体へ当接した状態で、収容部の底部が固定部よりも前記所定端部寄りとなるように配置され、この収容部の底部から前記所定端部までの距離が、衣服本体を包み状態とした包み長さとほぼ同じであるか１．２５倍以内であることが好ましい。
【００２８】
このように、当接状態において「収容部の底部から前記所定端部までの距離」が「包み長さ」の奇数倍であると、衣服本体を包み状態としたときに、前記所定端部が、収容部と反対側の端に位置することとなる。つまり棒状の包み状態となった衣服本体のうち、一端側が収容部に一部収容され、他端側が表示タグを付されることとなる。これにより、収容状態において表示タグを明確に表示することが可能となる。
【考案の効果】
【００２９】
この考案の衣服装飾具及び衣服は、上記手段を講じることで、衣服装飾具の仮貼付部を取り外した状態で収容体の一部が衣服本体に固定されたまま、残りの一部が衣服本体から浮き上がって突出した状態となる。そして、この突出した部分を有した収容体で包んだ衣服の一端部を被せることで収容するようにしている。これにより、着衣状態及び収容状態の二形態相互の形態変更を容易に、且つ繰り返し行なうことができる。
【００３０】
さらに収容体で包んだ衣服の一端部側のみを収容して囲うため、収容状態を容易に保持することができ、また収容状態においても、衣服部分に乱れ皺や余分な引っ張り力を生じさせにくいものとなった。
【考案を実施するための最良の形態】
【００３１】
以下、この考案の好適な実施形態を、各実施形態を示す図面を参照して説明する。図１ないし図６は、本考案の実施例１の衣服装飾具及び衣服を示す。このうち図５はこの衣服本体と衣服装飾具とを貼着固定する前の分解状態を示す２構成の説明図であり、図６は、実施例１の衣服を着衣形態から収容形態へ移行させるための収容工程の各手順を示す手順説明図である。図７ないし図９は、本考案の実施例２の衣服を示す。図１０、１１は、本考案の実施例３の衣服装飾具及び衣服の各状態を示す。そして図１３、１４は、本考案の実施例４の衣服装飾具の収容形態における状態を示す。
【００３２】
（本考案の衣服）
本考案の衣服は、衣服本体Ｃと、衣服本体Ｃに固定される衣服装飾具Ｏとから構成される。衣服本体Ｃは、Ｔシャツ、トレーナー、セーターなど、着衣可能なものであればなんでもよく、またズボン、パンツ、靴下でも良い。特に本考案では生地量が多いコート、トレーナー等の大型衣料品であっても、一部分を収容する収容体１によって収容状態とすることが可能である。また、子供服に利用することで、収容形態の呈する擬似形態に基づく多様な楽しみ方が得られる。
【００３３】
また本考案の衣服は、衣服本体Ｃの襟元などの所定の表示タグ取り付け端部Ｃｔに表示タグＴが付されている。表示タグＴは商品の種別、値段、ブランド等の情報が付され、販売展示用に付されたものである。本考案では、収容部３２の収容底３２から前記所定端部Ｃｔまでの距離と、衣服本体Ｃを包み状態とした包み長さＣｗｌとを所定の長さ関係（前者が後者の１〜１．２５倍の範囲内）とすることで、衣服を広げた着衣形態、及び、衣服を包んで収容した収容形態のいずれにおいても表示タグが衣服の一端に付され、タグ内容を確認しうるものとなっている。
【００３４】
（衣服装飾具Ｏ）
衣服装飾具Ｏは、下記基本構成を有した収容体１を少なくとも具備する。
・模様又は装飾が施された表面側の表示部１１
・衣服本体Ｃに当接する裏面側の当接部１２
・表示部１１と当接部１２の境界部１３
・衣服本体Ｃへ固定される固定部１４Ｆ
・衣服本体Ｃへ取り外し可能に繰り返し貼付しうる仮貼付部１５
・衣服本体Ｃの包み端部を収容しうる収容口３１
・衣服本体Ｃの一部を収容口３１から内部に収容しうる収容部３
この衣服装飾具Ｏは、着衣のときには、仮貼付部１５を衣服本体Ｃへ貼付して、表示部１１を衣服本体Ｃ上で表示した着衣形態となる。また収容のときは、仮貼付部１５を衣服本体Ｃから取り外して収容体３１を収容可能な状態とするとともに、衣服本体Ｃを筒状又は棒状に包んで包み状態とし、包み状態の衣服本体Ｃの一端部Ｃ１を収容口３１から被せて収容部３に収容させた収容形態となる。この収容形態において収容体１が衣服本体Ｃの少なくとも一部分を一端部から覆い、収容口が衣服本体Ｃの周囲を囲うことで包み状態を保持しうる。
【００３５】
衣服装飾具Ｏは、このような収容体１に、収容体１の収容口３１を下側に向けた状態でその下方に第二表示体２を連結して構成した形態（実施例１ないし３）としてなるほか、このような収容体１のみ単独の基本構成とした形態（実施例４）としてなる。以下、実施例に従って各構成を詳述する。
【実施例１】
【００３６】
実施例１の衣服装飾具Ｏは、上記基本構成を有した収容体１と、収容体１の固定部１４と接して或いは近接して衣服本体Ｃへ貼着固定される第二表示体２とから構成される。収容体１と第二表示体２とが連結されて人形体を形態形成してなり、収容体１の固定部１４のみが衣服本体Ｃから取り外しうるが、第二表示体２は通常は取り外しできないように縫合固定される。
【００３７】
（収容体１）
収容体１には表側の表示部１１に模様及び装飾が施されるとともに、装飾片１６が付設される。動物の顔に当たる表示部１１および動物の耳に当たる装飾片１６によって動物の顔を模してなる。
【００３８】
表示部１１は充填材１７たる綿材が充填された正面視横長楕円形状の厚型布袋からなり、その内側に縦長の固定片１４が下方へはみ出るように貼着固定され、この固定片１４の下方へはみ出た部分が固定部１４Ｆとして衣服本体Ｃに縫合固定される。
【００３９】
収容体１の裏側の当接部１２は伸縮可能な合成布又は天然布からなり、正面視にて表示部１１とほぼ同形状の横長楕円形状からなるとともに、その両側部から上部にかけて表示部１１の対応位置に沿って縫合固定される。また当接部１２の下部は縫合固定されず、正面視及び背面視にて中央が上方へ緩やかに湾曲した切り欠き縁を構成する。この切り欠き縁が収容口を構成し、当接部１２及び表示部１１の各内側が収容部３を構成する。
【００４０】
収容口３は、表示部１１と当接部１２の境界部１３、或いは当接部１２のいずれかに設けられ、仮貼付部１５が貼付状態にある着衣形態では収容体１と衣服本体Ｃの間に隠されており、仮貼付部１５の取り外しによって表出する。
【００４１】
当接部１２と衣服本体Ｃの当接位置にはそれぞれ、対応する箇所に仮貼付部１５が設けられる。実施例１では当接部の両側部及び幅方向中央上部の計三点の位置に、係合穴を有した円盤状の第一係合部材が設けられ、衣服本体の対応する三点の位置に、係合穴に嵌入しうる係合突起を有した円盤状の第二係合部材が設けられる。第二係合部材の係合突起を第一係合部材の係合穴に嵌入させることで当接部１２を衣服本体Ｃに当接させて収容体１を仮貼付しうる。また第二係合部材の係合突起を第一係合部材の係合穴から脱抜することで当接部１２の衣服本体Ｃへの貼付状態を解除することができる。
【００４２】
（第二表示体２）
第二表示体２は、模様又は装飾が施された表面側の第二表示部２１と、衣服本体Ｃへ貼着固定される裏面側の貼着固定部２２とを有する。実施例では図５の固定位置に示す形状の縫合により第二表示体２と固定片１４とを縫合固定している。
【００４３】
着衣のとき、収容のときのいずれにおいても、第二表示部２１が、衣服本体Ｃ上で収容体１の表示部１１と共に模写形態表示又は情報表示するものとなっている。実施例では第二表示対２が、動物の顔を模した収容体１の下部に連結して動物の胴体を模してなる。
【００４４】
（収容口３）
収容口３は、表示部１１と当接部１２の境界部１３、或いは当接部１２のいずれかに設けられ、当接状態では隠れていると共に、仮貼付部１５の取り外しによって表出する。
【００４５】
収容口３１の口幅３１ｗは収容部３の最大収容幅３ｗよりも小さく、また収容口３１及びその周縁を伸縮可能なものとしている。
【００４６】
本考案の衣服は、衣服本体Ｃの所定端部Ｃｔに表示タグＴが付されており、衣服装飾具Ｏの当接部１２を衣服本体Ｃへ当接した状態で、収容部３の収容底３２が固定部１４よりも前記所定端部Ｃｔ寄りとなるように配置され、この収容部３２の収容底３２から前記所定端部Ｃｔまでの距離が、衣服本体Ｃを包み状態とした包み長さＣｗｌと同じであるか、包み長さＣｗｌの1．２５倍以内となりうる。
【００４７】
衣服本体Ｃは図６に示す手順によって収容体１に収容される。すなわち図６マル１の衣服装飾具Ｏを表に向けた着衣形態から、仮貼付部１５の仮貼付を解除する仮貼付解除ステップ（図６マル２）、衣服を裏返して衣服装飾具Ｏを裏側に配置させ、衣服本体Ｃの袖を内側へ畳む袖畳みステップ（図６マル３）、包み状態下縁の折り片で谷折りして衣服本体Ｃの下端を折り上げ、包み状態の上縁に沿わせる下端折り上げステップ（図６マル４）、包み状態上縁の折り辺で谷折りして衣服本体Ｃの上端を折り下げ、包み状態の上縁に沿わせる上端折り下げステップ（図６マル５）、衣服本体Ｃのうち、第二表示体２からはみ出して幅方向左右に拡がる部分を内側に巻くか折りたたみ、衣服本体Ｃを縦方向の棒状または筒状或いは細長板状の包み状態にする包みステップ（図６マル６）、包み状態の衣服の上端を収容端部Ｃ１としてこの収容端部Ｃ１を収容口３１から収容部３内に差し込んで、包み状態の衣服の一端部を部分収容する収容ステップ（図６マル７）を順に経て、図６マル８の収容形態となる。
【００４８】
この収容形態（図６マル８、図１）では、動物の顔、胴体を模した収容体１、第二表示体２とが連結し、耳や手足を模した装飾片１６と共に動物の人形形態であるぬいぐるみ風の体裁となり、しかも衣服本体Ｃは包み状態の下端である開放端部Ｃ２周辺が、その人形形態の背部に露出する。この開放端部Ｃ２を底部として立たせてディスプレイすることで、動物人形が立つか座るといった形態を模した縦型配置にすることができ、さらに人形表示状態でも、包んだ衣服本体Ｃの色や柄を確認することができる。尚人形形態の背部に露出した包み状態の衣服本体Ｃは、マント或いは背負い鞄の形態を模すようにもなりうる。
【実施例２】
【００４９】
実施例２では、収容体１と第二表示体２とが連結されて汽車の模擬形態を形態形成してなり、収容体１の固定部１４及び第二表示体２の貼着固定部２２は共に、衣服本体Ｃから取り外しうる。また実施例２の収容体１は、当接部１２を衣服本体Ｃへ当接した状態で、収容部３の収容空間が固定部１４よりも側方となるように配置して固定される。これらにより、収容形態では、仮貼付部１５および貼着固定部２２の両方を衣服本体Ｃから取り外した状態として、棒状又は筒状の包み状態とした衣服本体Ｃを横長の袋状の収容部３内に収容しうるものとしている。
【００５０】
仮貼付部１５および貼着固定部２２は共に、衣服本体Ｃに並行して複数個取り付けた円盤状の仮貼付ボタンと、仮貼付ボタンと同配置として、衣服装飾具Ｏに並行して複数個設けた仮貼付孔とからなる。仮貼付孔が仮貼付ボタンのボタンホールとして、自由に繰り返し着脱可能としている。またボタンとボタンホールからなるため、洗濯を容易に行ないうる。
【００５１】
また衣服本体Ｃには、仮貼付孔よりも多くの仮貼付ボタンを連続的に繰り返して固定している。さらに衣服本体Ｃには線路の模様を模して表しており、仮貼付ボタンは、その模様上に沿って連続的に固定している。これにより、着衣形態では、衣服装飾体Ｏを、線路の模様に沿った任意の位置へずらして貼着固定することも可能となっている。
【００５２】
収容体１は、横長袋状の収容部３を有し、収容口が収容体の側部一端側に配置されている。また表側の表示部１と裏側の当接部２との上方境界には、伸縮性の素材からなる境界部３の境界布が構成され、収容体１の収容容積を伸縮させうるものとしている。収容形態においてはこの境界部３の境界布によって、横長棒状に包んだ衣服本体Ｃの棒状の側周囲を適度に緊束し，安定した収容の状態を保つことができる。
【００５３】
この衣服は実施例１と同様の収容工程によって収容形態となる。その他特記しない構成は実施例１と同様である。
【実施例３】
【００５４】
実施例３の収容体１は、当接部１２を衣服本体Ｃへ当接した状態で、収容部３の収容空間が固定部１４よりも上方となるように配置して固定され、当接部１２を衣服本体Ｃから取り外した状態で、固定部１４の上方の部分を折り返すことができると共に、折り返した部分を衣服本体Ｃへ取り外し可能に固定することができ、折り返した状態で収容部３が収容ポケットとなる。
【００５５】
すなわち実施例３の衣服装飾具Ｏは、着衣形態にて、収容体１の表示部１１が表示された第一状態（図１１（ｃ））のほか、収容体１を下方の第二表示体２側に折り返して収容ポケットとした第二状態（図１０および図１１（ｂ））としうる。また衣服装飾具Ｏの当接部１２を衣服本体Ｃから取り外した取り外し状態（図１０左図および図１１（ａ））としうる。この取り外し状態においても第二状態となり、持ち運びできる収容ポケットとして扱うことができる。
【００５６】
具体的には、実施例３の衣服装飾具において、第二表示体２の貼着固定部２２が面ファスナー構造からなり、第二表示体２の裏側の貼着固定面ファスナー２２ｆと、これに対応する衣服本体Ｃの貼着固定面ファスナーとが互いに面係合しうる（図１１（ｃ））。
【００５７】
また収容体１と第二表示体２との連結部分にて、表示部１１と第二表示部２１とを当接させる方向に折り返し可能となっている。この表示部１１と第二表示部２１にはそれぞれ表示面ファスナー１１ｆ、第二表地面ファスナー２１ｆが固定されており、折り返したときにこれらが面係合される。
【００５８】
また収容体１と第二表示体２との連結部分の裏側には、収容口３１を被る大きさの矩形の蓋部１８が形成される。蓋部１８には表裏面それぞれに蓋面ファスナー１８ｆが貼着固定されており、第一状態で衣服本体や第二表示体２の貼着固定面ファスナーに面係合される。また表面の蓋面ファスナー１８ｆは第二状態で第二表示体２の第二表示面ファスナーに面係合されて閉蓋状態を維持する。
【００５９】
収容体１は表示部１１が表側を向いた第一状態で収容口３１が収容部の下方に位置する。収容体１を折り返した第二状態で、収容口３１は上方に位置し、この第二状態で蓋部１８を被せることで収容部３が蓋付きの収容ポケットとなる。
【００６０】
この衣服は実施例１と同様の収容工程によって収容形態となる。その他特記しない構成は実施例１と同様である。
【実施例４】
【００６１】
実施例４では、衣服装飾具Ｏが、第二表示体２を有さない収容体１のみからなり、収容体１の内部下方の収容口３１付近を固定部として衣服本体Ｃに固定される。収容体１は表側の表示部１１と裏側の当接部１２とが両側部及び上部にて縫合され、内部に収容部３が形成され、収容口３１が下方に位置する。表示部１１及び当接部１２の両方に模様及び装飾が施され、収容状態においては裏側からも模様及び装飾を観取することができる。
【００６２】
この衣服は実施例１と同様の収容工程によって収容形態となる。その他特記しない構成は実施例１と同様である。
【図面の簡単な説明】
【００６３】
【図１】収容形態における実施例１の衣服を示す斜視概観図。
【図２】実施例１の着衣形態における衣服を示す正面図
【図３】図２の側面視におけるＡ−Ａ線拡大断面図。
【図４】図２のＢ−Ｂ線拡大断面図。
【図５】図２における衣服本体及び衣服装飾具の分解状態を示す正面図。
【図６】実施例１の衣服の収容工程を示す正背面視説明図。
【図７】収容形態における実施例２の衣服を示す斜視概観図。
【図８】実施例２の着衣形態における衣服及び取り外した衣服装飾具を示す正面説明図。
【図９】実施例２の着衣形態における衣服本体Ｃから衣服装飾具を取り外した状態を示す正背面説明図。
【図１０】実施例３の衣服装飾具Ｏについて、着衣形態の第二状態状態及び取り外し状態を示す、正面及び正背面説明図。
【図１１】実施例３の衣服装飾具Ｏについて、取り外し状態（ａ）、着衣形態の第一状態（ｂ）、及び着衣形態の第二状態（ｃ）を示す側面視断面説明図。
【図１２】収容形態における実施例４の衣服を示す正面視（ａ）および背面視（ｂ）説明図。
【図１３】図１２の側面視におけるＥ−Ｅ線断面図。
【符号の説明】
【００６４】
１  収容体
１１  表示部
１１ｆ  表示面ファスナー
１２  当接部
１３  境界部
１４  固定片
１４Ｆ  固定部
１５  仮貼付部
１５ｂ  仮貼付ボタン
１５ｈ  仮貼付孔
１５ｆ  仮貼付面ファスナー
１６  装飾片
１７  充填材（綿、発泡性樹脂、ビーズ、ストロー短材）
１８  蓋部
１８ｆ  蓋面ファスナー
１９  蓄光塗部
２  第二表示体
２１  第二表示部
２１ｆ  第二表示面ファスナー
２２  貼着固定部
２２ｆ  第二貼着面ファスナー
３  収容部
３ｗ  最大収容幅
３１  収容口
３１ｗ  口幅
３２  収容底
Ｃ  衣服本体
Ｃ１  一端部（収容端部）
Ｃ２  他端部（開放端部）
Ｏ  衣服装飾具
Ｃｔ  所定端部（タグ付け端部）
Ｃｔｌ  収容底３２から所定端部（タグ付け端部）Ｃｔまでの上下距離
Ｃｗｌ  包み長さ
Ｔ  表示タグ
【図１】
0003143707.tif 000003
【図２】
0003143707.tif 000004
【図３】
0003143707.tif 000005
【図４】
0003143707.tif 000006
【図５】
0003143707.tif 000007
【図６】
0003143707.tif 000008
【図７】
0003143707.tif 000009
【図８】
0003143707.tif 000010
【図９】
0003143707.tif 000011
【図１０】
0003143707.tif 000012
【図１１】
0003143707.tif 000013
【図１２】
0003143707.tif 000014
【図１３】
0003143707.tif 000015